(57)【要約】【目的】  特にディーリングルームで使用されるデスクに関するものであり、簡単な構造で、美観的にも好ましく、使用勝手にも優れた、デスクとしての商品価値も低下しない、特にディーリングルームで使用されるのに適したデスクを提供することを目的とする。【構成】  天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面を有するものである。【選択図】    図１
2006271422.tif 000002
【特許請求の範囲】
【請求項１】
天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面を有することを特徴とするデスク。
【請求項２】
天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面と、手掛かり面上端から後方に突出し手掛かり構成段部の水平面と連結される連結面と、連結面の後端を下方に屈曲して手掛かり構成段部の起立面の前面に位置する後側起立面と、後側起立面の下端部を後方に屈曲して形成された天板裏面側に位置する後側水平面より構成されていることを特徴とするデスク。
【発明の詳細な説明】
【技術分野】
【０００１】
本発明は、特にディーリングルームで使用されるデスクに関するものである。
【背景技術】
【０００２】
従来、ディーリングルームではディラーを取り囲むようにデスクが配置され、さらに、デスクの天板上に何台ものディスプレイが設置されているので、ディラーは椅子に座った姿勢で各机間を移動することが多くなる。この時、素早く椅子で移動できるよう、デスクの天板前端下面に設けた手掛かりを引き寄せる事で、反対に椅子を移動させるようにしている。（例えば、特許文献１参照。）
【０００３】
そして、前記手掛かりは、天板の前端裏面に凹部を形成したり、あるいは天板前端部裏面に突起物を取り付けて構成している。
前者の場合、凹部はある程度の深さが必要となるので、通常の厚みより厚い天板を使用しなければならず、高価となるだけでなく、美観的にも好ましくなく、デスクとしての商品価値を著しく損なう結果となっていた。
一方、後者の場合、突起物が天板裏面に突出するので、天板裏面に引き出しを配設することが出来ず、デスクとしての使い勝手が非常に悪く、上記同様デスクとしての商品価値を著しく損なっていた。
【０００４】
【特許文献１】特開平２００３−１９９６３０号公報（図３）
【発明の開示】
【発明が解決しようとする課題】
【０００５】
本発明は、簡単な構造で、美観的にも好ましく、使用勝手にも優れた、デスクとしての商品価値も低下しない、特にディーリングルームで使用されるのに適したデスクを提供することを課題とする。
【課題を解決するための手段】
【０００６】
そこで、上記課題を解決する為、本発明が第１の手段として構成したところは、天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面を有するものである。
【０００７】
次に、本発明が第２の手段として構成したところは、天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面と、手掛かり面上端から後方に突出し手掛かり構成段部の水平面と連結される連結面と、連結面の後端を下方に屈曲して手掛かり構成段部の起立面の前面に位置する後側起立面と、後側起立面の下端部を後方に屈曲して形成された天板裏面側に位置する後側水平面より構成されているものである。
【発明の効果】
【０００８】
請求項１に記載の発明によると、木製天板の前端部裏面側に略半分程度の厚みとなした手掛かり構成段部を形成し、該手掛かり構成段部に手掛かり部材をとりつけ、該手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面を有しているので、天板を実際の厚みより薄く視認させることが出来、さらに、手掛かり部材はスチール材にて形成されているので、天板の巾寸法の違いに対応可能であり、しかも天板との色彩を適宜変えることにより、天板をより薄く視認させたり、あるいは手掛かり部材を浮き立たせたりすることで、デスクとしての商品価値を向上させることができる。又、手掛かり部を凹部とする事により、天板下面に引き出しを配設する事も可能である。
【０００９】
請求項２に記載の発明によると、前記効果に加え、手掛かり部材は、手掛かり面上端から後方に突出し手掛かり構成段部の水平面と連結される連結面と、連結面の後端を下方に屈曲して手掛かり構成段部の起立面の前面に位置する後側起立面と、後側起立面の下端部を後方に屈曲して形成された天板裏面側に位置する後側水平面より構成されているので、
手掛かり構成段部の裏面側をすべて隠蔽することが出来るので、天板の裏面側も美麗に仕上げることが出来る。
【発明を実施するための最良の形態】
【００１０】
本発明は、天板下面に配設された引き出しの収納状態で、引き出しの前方で巾方向に渡って、木製天板の前端部裏面側を略半分程度の厚みとなし、水平面と起立面からなる手掛かり構成段部を形成し、該手掛かり構成段部に手掛かり部材をとりつけた天板を有するデスクにおいて、手掛かり部材は、スチール材より形成され、前端部分が天板の前端縁とほぼ同じ位置から後方に向かって下方に傾斜する前側傾斜面と、前側傾斜面の後端を上方に屈曲して形成された手掛かり面と、手掛かり面上端から後方に突出し手掛かり構成段部の水平面と連結される連結面と、連結面の後端を下方に屈曲して手掛かり構成段部の起立面の前面に位置する後側起立面と、後側起立面の下端部を後方に屈曲して形成された天板裏面側に位置する後側水平面より構成されているものである。
【実施例１】
【００１１】
以下、添付図面に基づいて実施例を詳述する。
図１において、符号１は本発明のデスクに使用されている天板を示し、符号２は、天板裏面に配設された引き出しを示している。
天板１は、心材１１の表裏両面に化粧板１２、１２を、周囲端面に化粧木縁１３を貼り付けた構成で、前端裏面を所定厚みで（略半分程度）、引き出し２の正面板２１の前方側に位置する部分を巾方向全幅に渡って切り欠かかれた、水平面３１と起立面３２からなる手掛かり構成段部３を有している。
【００１２】
そして、手掛かり構成段部３にはスチール材より形成された手掛かり部材５が取り付けられている。
手掛かり部材５は、前端部分が天板の前端縁とほぼ同じ位置から後方に向かって下方に傾斜する前側傾斜面５１と、前側傾斜面５１の後端を上方に屈曲して形成された手掛かり面５２と、手掛かり面５２の上端から後方に突出し手掛かり構成段部３の水平面３１とネジ止めにて着脱自在に連結される連結面５３と、連結面５３の後端を下方に屈曲して手掛かり構成段部３の起立面３１の前面に位置する後側起立面５４と、後側起立面５４の下端部を後方に屈曲して形成された天板１の裏面側に位置する後側水平面５５より構成されている。
【００１３】
手掛かり部材５は、スチール材より形成され、天板１の手掛かり構成段部３に、ネジ止めにて着脱自在に連結されているので、デスクを廃棄するときに必要とされる、材質毎の分別作業が、ドライバーだけで行なえるので、極めて簡単である。
【００１４】
引き出し２は、胴板２２と、胴板２２の前面に設けられた正面板２１等より構成され、正面板２１の前面が、前記手掛かり部材５の後側起立面５４と面一か、若しくは後方に位置するよう天板１の裏面に配設されている。
【図面の簡単な説明】
【００１５】
【図１】本発明の要部断面図
【符号の説明】
【００１６】
１        天板
２        引き出し
３        手掛かり構成段部
３１      水平面
３２      起立面
５        手掛かり部材
５１      前側傾斜面
５２      手掛かり面
５３      連結面
５４      後側起立面
５５      後側水平面
【図１】
2006271422.tif 000003